(57)【要約】      （修正有）【課題】酸素富化ガスを、活動時、及び、就寝時において、顔面に不快感を与えることなく、かつ、酸素富化ガス供給チューブの捩れがなく、酸素富化ガスの供給源から鼻・口付近まで導くことができる酸素富化ガス供給用具を提供する。【解決手段】酸素富化ガス供給用チューブ４、使用者の頭部にかけるヘッドセット型の支持体１、該支持体から使用者の鼻・口付近へ伸びるアーム２、該酸素富化ガス供給用チューブ４を該アーム２に固定するチューブ固定手段を備え、該支持体１の複数位置に該アームの取り付けが可能な取付手段を有する酸素富化ガス供給用具。【選択図】図１
2007159711.tif 000002
【特許請求の範囲】
【請求項１】
酸素富化ガス供給用チューブ、使用者の頭部にかけるヘッドセット型の支持体、該支持体から使用者の鼻・口付近へ伸びるアーム、該酸素富化ガス供給用チューブを該アームに固定するチューブ固定手段を備え、該支持体の複数位置に該アームの取り付けが可能な取付手段を有する酸素富化ガス供給用具。
【請求項２】
該取付手段が、該支持体上をスライドし且つ任意の位置で固定可能なストッパーを有するスライダを有し、該スライダーに該アームが固定されていることを特徴とする請求項１に記載の酸素富化ガス供給用具。
【請求項３】
該取付手段が、該支持体の中央部及び端部に該アームの取付手段を備えることを特徴とする請求項１に記載の酸素富化ガス供給用具。
【請求項４】
該アームが可動支持体及びそれと勘合するスリーブから構成されることを特徴とする請求項１乃至３の何れか1項に記載の酸素富化ガス供給用具。
【請求項５】
該支持手段が可動支持体及びそれと勘合するスリーブから構成されることを特徴とする請求項１乃至４の何れか1項に記載の酸素富化ガス供給用具。
【請求項６】
酸素富化ガス供給用チューブ、使用者の頭部にかけるヘッドセット型の支持体、該支持体に該酸素富化ガス供給用チューブを固定するチューブ固定手段を備え、該支持体上の複数の位置に該チューブ固定手段の取り付けが可能な取付手段を有する酸素富化ガス供給用具。
【請求項７】
該固定手段が、該酸素富化ガス供給用チューブの長さを使用者の鼻孔位置に可変調整するチューブ固定手段であることを特徴とする請求項６記載の酸素富化ガス供給用具。
【発明の詳細な説明】
【技術分野】
【０００１】
本発明は、酸素富化ガスを吸入する為の吸入用具に関する。更に詳細には、起床時および就寝時において、顔面部への圧迫なしに酸素富化ガス吸入を行うことを実現する酸素富化ガス供給用具に関するものである。
【背景技術】
【０００２】
慢性呼吸器疾患患者などが在宅酸素吸入療法を行う場合には、吸着型酸素濃縮器や酸素ボンベから供給される酸素富化ガスを吸入する際には、多くの場合には供給用具として鼻孔カニューラが使用されている。かかる供給用具は、鼻孔カニューラの供給端部に設けられた鼻部分岐管やカニューラ先端部を直接患者の鼻腔内に挿入する方式が採用されている。鼻孔カニューラはシンプルな形状の酸素富化ガス投与具であり、使い易く安価であるなど、長期酸素療法に適した供給用具である。その一方で以下のような不利益な点を含んでいる。
１．酸素富化ガス供給チューブ固定による皮膚圧迫
２．就寝時における酸素富化ガス供給チューブの巻き付き，捩れ
【０００３】
上記の不利益を解決する態様例として、特表２００３−５３３２９６号公報には、ヘッドセット型の支持体により酸素富化ガス供給チューブを固定して酸素投与する供給用具が開示されている。この供給用具では、酸素富化ガス供給チューブを使用者の頬との接触無しに保持することが可能なことから、頬への圧迫による不快感は無く、かつ通気性が高いため、汗蒸れを起こさずに酸素投与が可能となる。しかしながら、ヘッドセット端から鼻口付近へ向かって伸びた酸素富化ガス供給チューブを固定するアーム部は頬近辺に位置し、就寝時に寝返りをうつなどして頭部を横に向けるとアーム部が頬を圧迫することになる。また酸素富化ガス供給チューブが身体付近を這うため、身体を動かした際に酸素富化ガス供給チューブが身体により押し潰され、あるいはチューブが引っ張られることによるヘッドセットの外れなどのリスクを伴う。
【０００４】
また、就寝時における酸素富化ガス供給チューブの絡まりを解決する別の態様例として、特開２００４−３２１５８０号公報には、頭部取り付け用部材を備えた酸素投与手段が開示されている。この供給用具では、酸素富化ガス供給チューブは、頬の方向からではなく、頭部方向から両目の間を通すことで鼻孔まで酸素富化ガス供給チューブが導かれる。これにより、就寝時に使用者が身体を動かしたとしても酸素富化ガス供給チューブの捩れや巻き付きは生じない。また頭部を横に向けても、チューブが頬を圧迫する心配は無い。しかしながらこのシステムはチューブが使用者の視野を遮るため、昼間などの活動時の使用には適さない。
【０００５】
【特許文献１】特表２００３−５３３２９６号公報
【特許文献２】特開２００４−３２１５８０号公報
【発明の開示】
【発明が解決しようとする課題】
【０００６】
現在使用している鼻孔カニューラでは、固定するために酸素富化ガス供給チューブが頬や耳を強く圧迫し、使用者に不快感，汗群れ，潰瘍を生じさせる場合がある。特許文献１の方法では、就寝時にアーム部が頬を強く圧迫することが問題となる。また特許文献２の方法では、酸素富化ガス供給チューブが使用者の視野の邪魔になり供給用具の使用が夜間に限定される。
【課題を解決するための手段】
【０００７】
かかる課題を解決する手段として本発明者は以下の装置を見出した。
すなわち本発明は、酸素富化ガス供給用チューブ、使用者の頭部にかけるヘッドセット型の支持体、該支持体から使用者の鼻・口付近へ伸びるアーム、該酸素富化ガス供給用チューブを該アームに固定するチューブ固定手段を備え、該支持体の複数位置に該アームの取り付けが可能な取付手段を有する酸素富化ガス供給用具を提供するものである。
【０００８】
また本発明は、かかる取付手段が、該支持体上をスライドし且つ任意の位置で固定可能なストッパーを有するスライダを有し、該スライダーに該アームが固定されていることを特徴とするものであり、特に該支持体の中央部及び端部に該アームの取付手段を備えることを特徴とする酸素富化ガス供給用具を提供するものである。
【０００９】
また本発明は、かかるアームが可動支持体及びそれと勘合するスリーブから構成されることを特徴とするもの、該支持手段が可動支持体及びそれと勘合するスリーブから構成されることを特徴とする酸素富化ガス供給用具を提供するものである。
【００１０】
更に本発明は、酸素富化ガス供給用チューブ、使用者の頭部にかけるヘッドセット型の支持体、該支持体に該酸素富化ガス供給用チューブを固定するチューブ固定手段を備え、該支持体上の複数の位置に該チューブ固定手段の取り付けが可能な取付手段を有する酸素富化ガス供給用具を提供するものであり、特に該固定手段が、該酸素富化ガス供給用チューブの長さを使用者の鼻孔位置に可変調整するチューブ固定手段であることを特徴とする酸素富化ガス供給用具を提供するものである。
【発明の効果】
【００１１】
本発明のヘッドセット型の酸素富化ガス供給用具を用いることにより、カニューラ等による皮膚圧迫などの不快感を軽減するとともに、一つの供給用具で、昼間、夜間共に使用することができる。昼間は、アームまたは酸素富化ガス供給用チューブをヘッドセットの端部に取り付けることで使用者の視野を確保し、夜間はアームまたは酸素富化ガス供給用チューブをヘッドセット中央部に取り付け、就寝に伴うアーム部の皮膚圧迫やチューブ潰れ、捩れなどが無しに酸素供給が可能となる。
【発明を実施するための最良の形態】
【００１２】
本発明の酸素富化ガス供給用具の実施態様例を以下に説明する。
図１に酸素富化ガス供給用チューブを保持するアーム部を持つヘッドセット型の酸素富化ガス供給用具の概略図を示す。かかる供給用具は、使用者の頭部に載せる湾曲したＵ字状の支持体であるヘッドセット(1)からアーム(2)が鼻・口付近まで伸びており、アーム(2)には、酸素ボンベなどの酸素ガス供給源(3)に接続されている酸素富化ガス供給用チューブ(4)の固定手段を備え、酸素を鼻孔付近まで導く。アーム(2)と酸素富化ガス供給用チューブ(4)との固定は、アーム先端に接続用のノズルを設けチューブと接続することにより行い、アーム中に設けた中空導管を介して酸素富化ガスを他端である鼻孔まで供給する方法や、アーム(2)にコの字状の溝構造のチューブ固定手段を設け、アームに沿って酸素富化ガス供給用チューブを鼻孔まで導く方法を採用することができる。
【００１３】
アーム(2)は、ヘッドセット(1)の上を移動する可動支持体であるスライダ(5)に接続され、ヘッドセット(1)に沿ってアーム(2)を移動させることができる。アーム(2)は、使用者の耳付近に相当するヘッドセットの端(6)や頭頂部に相当するヘッドセットの中央部(7)に移動させることが出来、複数の場所、少なくとも前記2箇所で固定することができる。
【００１４】
昼間使用時には、図２に示すように、アーム(8)をヘッドセット端(9)に固定すると、アーム(8)は使用者の視野に入らず、日常活動に支障が少ない状態で酸素富化ガスを供給することができる。また、夜間使用時には、図３に示すように、アーム(10)をヘッドセット中央部(11)に固定すると、頭部を動かしてもアーム(10)が使用者の頬を圧迫することがなく、かつ、酸素富化ガス供給用チューブが折れたり、捩れたりすることもなく酸素供給を実現することができる。
【００１５】
なお、頭部の大きさ、顔面形状の個体差は大きく、必要なヘッドセットの長さ、ヘッドセット端から鼻口付近までの距離は、装着者の頭部形状により異なるが、ヘッドセットやアームに長さの調節手段を持たせることで、個体差を調整し適切に装着することが可能となる。同様に、ヘッドセット側端から鼻・口付近への距離と、ヘッドセット中央部から鼻口付近への距離も若干異なるが、アーム部の長さの調整手段により、距離、角度の微調整が可能となり、適切に装着することが可能となる。一方、ヘッドセット側端から鼻・口付近へ導くアームの角度と、ヘッドセット中央部から鼻口付近へ導くアームの角度はほぼ同じであり、アーム自体の角度調整手段はあってもなくても良い。長さ調整手段としてはアームあるいはヘッドセットが可動支持体及びそれと勘合するスリーブから構成し、両者をスライドさせることで長さ調整を行うことができる。
アーム先端に酸素富化ガス供給用チューブに接続されるマスク等を設けることで、供給された酸素富化ガスは鼻孔付近に集中的に供給することが出来る。
【００１６】
別の態様としては、図４に示すようにスライダ(12)には鼻口付近まで伸びるアームではなく、酸素富化ガス供給用チューブ(13)を直接接続する固定具(14)を設けてもよい。この固定方法を用いる際には、固定具(14)から鼻・口付近へ伸びるチューブ(13)にはチューブ内壁に針金などを組み込むことで、チューブ強度を確保しつつ、長さ角度など供給位置の調節が容易となる。
【００１７】
また、スライダを用いてアーム(15)がヘッドセット上を移動する構造ではなく、図５に示すように、ヘッドセット端、及びヘッドセット中央部に、ネジ止め等の取り外し可能な接続機構(16),(17)を設けることにより、かかる課題を解決できる。また図６に示すように、ヘッドセット端(18)及びヘッドセット中央部(19)に酸素富化ガス供給用チューブの固定具、あるいは簡便には固定可能な穴を設けてもよい。
【００１８】
なお、夜間使用時に、頭部に載せるヘッドセットのみでは不安定で、頭部を動かした際に外れる危険性があるため、図７に示すように、頭部上部から頭部後付近へ伸びるバンド(20)や頭部側面から後頭部付近を横切るバンド(21)などの補強具を取り付け、安全性を高めることも可能である。
【００１９】
本発明の酸素富化ガス供給用具は、酸素富化ガス、酸素ガス以外にも、噴霧薬、水蒸気、匂い物質などを投与する際にも適用可能である。
【図面の簡単な説明】
【００２０】
【図１】可動型アームを持つヘッドセット型の酸素富化ガス供給用具の概略図。
【図２】可動型アームを持つヘッドセット型の酸素富化ガス供給用具における昼間使用時の概略図。
【図３】可動型アームを持つヘッドセット型の酸素富化ガス供給用具における夜間使用時の概略図。
【図４】可動型チューブ固定具を持つヘッドセット型の酸素富化ガス供給用具の概略図。
【図５】取り外し型アームを持つヘッドセット型の酸素富化ガス供給用具の概略図。
【図６】取り外し型チューブ固定具を持つヘッドセット型の酸素富化ガス供給用具の概略図。
【図７】ヘッドセットの補強具に関する装置構成の概略図。
【符号の説明】
【００２１】
１  ヘッドセット
２  アーム
３  酸素供給源
４  酸素富化ガス供給用チューブ
５  スライダ
６  ヘッドセット端
７  ヘッドセット中央部
８  アーム
９  ヘッドセット端
１０  アーム
１１  ヘッドセット中央部
１２  スライダ
１３  酸素富化ガス供給用チューブ
１４  固定具
１５  アーム
１６  接続機構（ヘッドセット端）
１７  接続機構（ヘッドセット中央部）
１８  固定具（ヘッドセット端）
１９  固定具（ヘッドセット中央部）
２０  補強具（後部）
２１  補強具（側部）
【図１】
2007159711.tif 000003
【図２】
2007159711.tif 000004
【図３】
2007159711.tif 000005
【図４】
2007159711.tif 000006
【図５】
2007159711.tif 000007
【図６】
2007159711.tif 000008
【図７】
2007159711.tif 000009